(57)【要約】【課題】マガジンに複数の光ディスクを格納して扱う光ディスクライブラリ装置において、光ディスクを１枚単位、光ディスクドライブを１台単位で扱う場合に故障や異常停止などのトラブルが発生しても復旧できない。【解決手段】本開示の光ディスクライブラリ装置は、複数の光ディスクを収納する、１つ以上のマガジンと、光ディスクに記録再生を行う、複数の光ディスクドライブと、マガジンを保持しマガジンに収納される任意の光ディスクを、任意の光ディスクドライブに着脱するチェンジャ機構と、チェンジャ機構を制御する制御部と、を備える。マガジンは、マガジンを特定するマガジン情報とマガジンに収納される複数の光ディスクを特定するディスク情報とを紐付けるマガジン‐ディスク紐付け情報を含み、制御部は、マガジンに含まれるマガジン‐ディスク紐付け情報を出力する。【選択図】図５
2016110686.tif 000002
【特許請求の範囲】
【請求項１】
複数の光ディスクを収納する、１つ以上のマガジンと、
前記光ディスクに記録再生を行う、複数の光ディスクドライブと、
前記マガジンを保持し前記マガジンに収納される任意の前記光ディスクを、任意の前記光ディスクドライブに着脱するチェンジャ機構と、
前記チェンジャ機構を制御する制御部と、を備え、
前記マガジンは、前記マガジンを特定するマガジン情報と前記マガジンに収納される複数の前記光ディスクを特定するディスク情報とを紐付けるマガジン‐ディスク紐付け情報を含み、
前記制御部は、前記マガジンに含まれる前記マガジン‐ディスク紐付け情報を出力する、
光ディスクライブラリ装置。
【請求項２】
前記チェンジャ機構は、前記マガジンを搬送するマガジンキャリアメカと、前記マガジンに収納される任意の前記光ディスクを任意の前記光ディスクドライブに着脱するディスクキャリアメカとを含む、
請求項１に記載の光ディスクライブラリ装置。
【請求項３】
前記マガジン情報は、前記マガジンを特定するマガジン固有ＩＤ情報を含み、
前記ディスク情報は、前記光ディスクを特定する光ディスク固有ＩＤ情報と前記光ディスクの前記マガジン内の位置を特定する位置情報の組を、複数含む、
請求項１に記載の光ディスクライブラリ装置。
【請求項４】
前記制御部は、
前記ディスクキャリアメカを特定するチェンジャ固有ＩＤ情報を出力する、
請求項２に記載の光ディスクライブラリ装置。
【請求項５】
前記制御部は、
前記ディスクキャリアメカの前記マガジンの保持状態と、前記マガジンを保持している場合前記マガジンを特定する前記マガジン固有ＩＤ情報とを状態情報として出力する、
請求項４に記載の光ディスクライブラリ装置。
【請求項６】
前記制御部は、
前記光ディスクドライブを特定するドライブ固有ＩＤ情報を出力する、
請求項１に記載の光ディスクライブラリ装置。
【請求項７】
前記制御部は、
前記光ディスクドライブの前記光ディスクの装着状態と、前記光ディスクを装着している場合前記光ディスクを特定する前記光ディスク固有ＩＤ情報とを状態情報として出力する、
請求項６に記載の光ディスクライブラリ装置。
【請求項８】
前記マガジンは、前記マガジン‐ディスク紐付け情報を格納するＲＦＩＤ（Ｒａｄｉｏ  Ｆｒｅｑｕｅｎｃｙｔ  ＩＤｅｎｔｉｆｉｅｒ）タグを備える、
請求項１に記載の光ディスクライブラリ装置。
【請求項９】
前記マガジンは、前記マガジン‐ディスク紐付け情報を格納するバーコードを備える、
請求項１に記載の光ディスクライブラリ装置。
【請求項１０】
光ディスクライブラリ装置で記録再生される、前記光ディスクライブラリ装置に備えられるマガジンに収納された光ディスクであって、
収納されている前記マガジンを特定するマガジン情報と前記光ディスクを特定するディスク情報とを紐付けるマガジン‐ディスク紐付け情報を含む、
光ディスク。
【請求項１１】
前記マガジン情報は、前記マガジンを特定するマガジン固有ＩＤ情報を含み、
前記ディスク情報は、前記光ディスクを特定する光ディスク固有ＩＤ情報と前記光ディスクの前記マガジン内の位置を特定する位置情報とを含む、
請求項１０に記載の光ディスク。
【請求項１２】
請求項１に記載の光ディスクライブラリ装置と、
前記光ディスクドライブ装置を制御するホストサーバと、を備え、
前記ホストサーバは、
前記光ディスクドライブ装置から前記マガジン‐ディスク紐付け情報を取得し、前記マガジン‐ディスク紐付け情報に基づいて、前記光ディスクライブラリ装置を制御する、
光ディスクライブラリシステム。
【発明の詳細な説明】
【技術分野】
【０００１】
本開示は、マガジン内に収納された可搬型の光ディスクを、マガジンから取り出し、任意の光ディスクドライブへ配送するような光ディスクライブラリ装置やその装置で使用される光ディスク、および光ディスクライブラリ装置を使用して構成された光ディスクライブラリシステムに関する。
【背景技術】
【０００２】
近年、大型データセンターに記憶されるデータの量は急激に増大しており、それに伴い、記憶されるデータの中で参照されることが少ないデータの量も増える傾向にある。そのため、消費電力を低減でき長期保存にも適した可搬型の情報記録媒体に、参照回数が少ないデータをアーカイブするライブラリ装置が注目されている。
【０００３】
可搬型の情報記憶媒体としてＤＶＤ（Ｄｉｇｉｔａｌ  Ｖｅｒｓａｔｉｌｅ  Ｄｉｓｃ）やＢｌｕ−ｒａｙ（登録商標）  Ｄｉｓｃ（以下、ＢＤ）などの光ディスクがある。光ディスクには、大別して、ＤＶＤ−ＲＡＭやＢＤ−ＲＥなどの書換え型の情報記憶媒体と、ＤＶＤ−ＲやＤＶＤ＋Ｒ、ＢＤ−Ｒなどの追記型の情報記憶媒体がある。更に近年では、ＢＤの記録容量を更に大容量化した新たな光ディスクの開発も進められている。
【０００４】
光ディスクは、５０年単位で半永久的にデータを保証することが出来る点で、ハードディスクドライブ装置（Ｈａｒｄ  Ｄｉｓｋ  Ｄｒｉｖｅ：以下、ＨＤＤ）やＬＴＯ（Ｌｉｎｅａｒ  Ｔａｐｅ−Ｏｐｅｎ）などの磁気テープなどと比べて優れている。
【０００５】
近年の光ディスクの大容量化に伴い、参照回数が少ないデータのアーカイブには、書換え型光ディスクよりも安価な追記型の光ディスクが使用される機会が増えてきている。
【０００６】
光ディスクにアーカイブするライブラリ装置として、複数の光ディスクドライブを備え、複数の光ディスクをカートリッジ型などのケース（以下、マガジン）に入れて扱うライブラリ装置が提案されている（例えば、特許文献１参照）。このライブラリ装置は、複数の光ディスクをマガジン単位で一括して記録再生することで記録再生時の転送速度を向上することが出来る。更にこのライブラリ装置は、光ディスクをマガジンに入れて扱うことで、指紋や傷などの光ディスクの信頼性低下要因を抑制することが出来る。
【０００７】
また、光ディスクを複数枚収納したマガジンを用いたライブラリ装置として、マガジン内の複数の光ディスク、複数の光ディスクドライブにおいてディスクアレイを構成し、仮想的な１つの大きなボリュームとして扱い、ＲＡＩＤ（Ｒｅｄｕｎｄａｎｔ  Ａｒｒａｙ  ｏｆ  Ｉｎｅｘｐｅｎｓｉｖｅ  Ｄｉｓｋｓ）として記録再生することで、記録再生データの信頼性を高めるライブラリ装置も提案されている（例えば、特許文献２参照）。
【先行技術文献】
【特許文献】
【０００８】
【特許文献１】特開２０１３−２０６４９８号公報
【特許文献２】米国特許出願公開第２０１４／００７５１１６号明細書
【発明の概要】
【発明が解決しようとする課題】
【０００９】
上述のライブラリ装置はいずれも、マガジン内の複数の光ディスクを一括して扱うことを前提とした装置であり、光ディスクを１枚単位、光ディスクドライブを１台単位で扱うことは考慮されていない。しかし、複数の光ディスクをマガジン単位で一括して扱いたいが、記録再生は光ディスク単位で扱い、マガジン単位で一括して扱いたくないユーザもいる。より具体的には、ユーザは、複数の光ディスクドライブそれぞれにおいて、マガジン内の複数の光ディスクのうち１枚の光ディスクの単位で独立して記録再生したい、つまり、ライブラリ装置をマルチアクセス可能な装置として使用したい。
【００１０】
また、複数の光ディスクをマガジンに収納して取り扱う場合、マガジン内の複数の光ディスクが、バラバラになった場合の考慮が不十分である。具体的には、上述のライブラリ装置は、ＲＡＩＤを構成する複数の光ディスクの組み合わせが分からなくなるような異常状態の考慮は多少なされているものの、基本的にマガジン内の全ての光ディスクを同時にフォーマット・記録することを前提としている。そのため、同じマガジン内に記録済みの光ディスクと未記録の光ディスクとが混在する場合に、複数の光ディスクの組み合わせが分からなくなるような異常状態の考慮はされていない。そのため、上述のライブラリ装置では、ライブラリ装置の可用性や信頼性が十分でない。
【００１１】
本開示は、このような課題に鑑みてなされたものであり、マガジンに収納される複数の光ディスクに対して、１枚単位で抜き差し可能で、かつ光ディスクの記録状態が記録済みと未記録が混在する場合に、ライブラリ装置の故障や異常停止が発生しても、マガジンと光ディスクの正しい組み合わせを復元可能にする光ディスクライブラリ装置、光ディスク、および光ディスクライブラリシステムを提供することを目的とする。
【課題を解決するための手段】
【００１２】
本開示の光ディスクライブラリ装置は、複数の光ディスクを収納する、１つ以上のマガジンと、光ディスクに記録再生を行う、複数の光ディスクドライブと、マガジンを保持しマガジンに収納される任意の光ディスクを、任意の光ディスクドライブに着脱するチェンジャ機構と、チェンジャ機構を制御する制御部と、を備える。マガジンは、マガジンを特定するマガジン情報とマガジンに収納される複数の光ディスクを特定するディスク情報とを紐付けるマガジン‐ディスク紐付け情報を含み、制御部は、マガジンに含まれるマガジン‐ディスク紐付け情報を出力する。
【発明の効果】
【００１３】
本開示の光ディスクライブラリ装置によれば、複数の光ディスクがマガジンに収納され、かつ光ディスクを１枚単位でマガジンから抜き差し可能な光ディスクライブラリ装置であって、マガジンを一意に特定するマガジン固有ＩＤ（ＩＤｅｎｔｉｆｉｃａｔｉｏｎ）情報や、マガジン内に格納されている全ての光ディスクそれぞれを一意に特定するディスク固有ＩＤ情報や、その光ディスクのマガジン内における位置情報などを管理できるため、万が一、光ディスクライブラリ装置の故障や異常停止などのトラブルが発生した場合においても、元のマガジンの元の位置に光ディスクを戻すことができる。また、マガジン内の光ディスクの状態が、記録済みと未記録が混在する場合に、光ディスクライブラリ装置の故障や異常停止が発生しても、元のマガジンの元の位置に光ディスクを戻すことができる。
【図面の簡単な説明】
【００１４】
【図１】図１は、実施の形態１における光ディスクの構成図である。
【図２】図２は、実施の形態１の光ディスクの領域の構造を説明する図である。
【図３Ａ】図３Ａは、実施の形態１におけるマガジンの構成を説明する図である。
【図３Ｂ】図３Ｂは、実施の形態１におけるマガジンの外観図である。
【図４】図４は、実施の形態１におけるＲＦＩＤ（Ｒａｄｉｏ  Ｆｒｅｑｕｅｎｃｙ  ＩＤｅｎｔｉｆｉｅｒ）タグに格納されているマガジン‐ディスク紐付け情報の一例を説明する図である。
【図５】図５は、実施の形態１における光ディスクライブラリシステムの構成図である。
【図６】図６は、実施の形態１における光ディスクライブラリシステムの情報管理イメージを説明する図である。
【図７】図７は、実施の形態１における復旧処理を説明するフローチャートである。
【図８】図８は、実施の形態１における復旧処理を説明する別のフローチャートである。
【図９】図９は、実施の形態１における復旧処理を説明するさらに別のフローチャートである。
【図１０Ａ】図１０Ａは、実施の形態２におけるＲＦＩＤタグに格納されているマガジン‐ディスク紐付け情報の一例を説明する図である。
【図１０Ｂ】図１０Ｂは、実施の形態２におけるＲＦＩＤタグに格納されているマガジン‐ディスク紐付け情報の別の一例を説明する図である。
【図１０Ｃ】図１０Ｃは、実施の形態２におけるＲＦＩＤタグに格納されているマガジン‐ディスク紐付け情報のさらに別の一例を説明する図である。
【発明を実施するための形態】
【００１５】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、添付図面および以下の説明は、当業者が本開示を十分に理解するために、提供されるのであって、これらにより特許請求の範囲に記載の主題を限定することは意図されていない。
【００１７】
（実施の形態１）
以下、実施の形態１における光ディスク、および光ディスクライブラリシステムについて、図面を参照しながら説明する。なお、同じ構成要素については同じ符号を用いて、説明の繰り返しは省略する。
【００１８】
本実施の形態では、マガジン内の複数の光ディスクを１枚単位で扱い、複数の光ディスクドライブを１台単位で扱うことを前提として説明する。
【００１９】
また本実施の形態では、光ディスクとして追記型の光ディスクを例に説明を行う。
【００２０】
[１．構成]
[１−１．光ディスクの構造]
図１は、本実施の形態における光ディスクの構成図である。円盤状の光ディスク１は、情報を記録再生可能な１つ以上の記録層を備える。記録層は、スパイラル状に、多数のトラック２が形成され、トラック２のそれぞれには、トラック２を細かく分ける多数のブロック３が形成されている。トラック２は、グルーブ（溝）をウォブリングさせることで、そこにディスク上の詳細な位置を示すアドレス情報（以下、物理アドレス）が付与される。
【００２１】
トラック２は、一般的にはグルーブ（溝）とランド（溝間）の組み合わせで形成される。しかし光ディスクのデータを、グルーブとランドの両方に記録することで記録密度を向上させるような光ディスクの場合、アドレス情報はトラック２のグルーブまたはランドのうち一方のスパイラルに付与されても良い。
【００２２】
ここで、トラック２の幅であるトラックピッチは、例えばＢＤでは０．３２μｍである。またブロック３は、エラー訂正の単位であり、記録および再生動作が行われる最小の単位である。例えば、ＤＶＤの場合は１ＥＣＣ（サイズ：３２ＫＢｙｔｅ）、ＢＤの場合には１クラスタ（サイズ：６４Ｋｂｙｔｅ）であり、光ディスクのデータの最小単位であるセクタ（サイズ：２ＫＢｙｔｅ）を用いると、１ＥＣＣ＝１６セクタ、１クラスタ＝３２セクタとなる。
【００２３】
また、光ディスク１は、内周領域４とデータ領域５と外周領域６の領域に大別される。
【００２４】
図２は、本実施の形態における光ディスク１の領域の構造を説明する図である。データ領域５は、ユーザデータが記録されるユーザデータ領域１４と、ユーザデータ領域１４で検出された欠陥領域の代替記録用に使用される交替領域などを備えたスペア領域であるＩＳＡ（Ｉｎｎｅｒ  Ｓｐａｒｅ  Ａｒｅａ）１３、ＯＳＡ（Ｏｕｔｅｒ  Ｓｐａｒｅ  Ａｒｅａ）１５とから構成される。
【００２５】
内周領域４と外周領域６は、主に光ディスク１に対して記録再生するために必要な管理情報を記録する領域を備えている。そのため、光ピックアップがデータ領域５の端へアクセスする場合に、光ピックアップがオーバーランしてもトラック２に追随できるように、内周領域４と外周領域６はのりしろとしての役割を果たす。ユーザデータ領域１４と違い、内周領域４と外周領域６は、ユーザデータを記録再生出来ない領域である。
【００２６】
内周領域４は、ＢＣＡ（Ｂｕｒｓｔ  Ｃｕｔｔｉｎｇ  Ａｒｅａ）１０やドライブ領域（Ｄｒｉｖｅ  Ａｒｅａ）１１や管理情報領域１２などの領域を備える。
【００２７】
ＢＣＡ１０は、光ディスク１の製造工程で、特殊な装置を用いて、光ディスク１の関連情報や光ディスク１の固有の情報を含んでバーコード上に形成されるプリ記録領域であり、レーザで反射膜を除去して形成する領域である。ＢＣＡ１０には、例えば、光ディスク１に固有なシリアル（Ｓｅｒｉａｌ）番号などの情報が格納される。
【００２８】
ドライブ領域１１は、後述する光ディスクドライブの制御に必要な情報などを、記録する領域である。
【００２９】
管理情報領域１２は、光ディスク１におけるデータ領域５の領域構造に関する情報や、欠陥ブロックに関する情報、或いは光ディスク１の記録状態を示す情報などの管理情報を過渡的に記録する領域である。
【００３０】
なお、内周領域４には、後述する光ディスクドライブ２１０の記録パワーの調整を行うためのＯＰＣ（Ｏｐｔｉｍｕｍ  Ｐｏｗｅｒ  Ｃａｌｉｂｒａｔｉｏｎ）領域や、トラッキング／フォーカス調整を行うためのプリライト（ＰｒｅＷｒｉｔｅ）領域などの領域も備えられているが、説明を省略する。
【００３１】
外周領域６は、必ずしも備えられていなくても良い。内周領域４と同様に外周領域６は、管理情報領域１２、ＯＰＣ領域、プリライト領域等が格納されてもよい。
【００３２】
[１−２．マガジンの構成]
図３Ａは、本実施の形態におけるマガジンの構成を説明する図であり、図３Ｂは、本実施の形態におけるマガジンの外観図である。図３Ａに示すように、マガジン１０１には複数の光ディスク１が格納される。本実施の形態においては、１つのマガジン１０１には、１２枚の光ディスク１が格納されているものとする。
【００３３】
マガジン１０１は、光ディスク１の集積容量を向上させるため、トレイが設けられておらず、光ディスク１が直接積み重ねられたダイレクトスタック方式で格納されている。また、マガジン１０１は、外枠ケースとディスク収納箱で形成されており、光ディスク１を取り出すには、外枠ケースからディスク収納箱を取り出す。
【００３４】
なお、マガジン１０１の構成は一例であり、複数の光ディスク１が収納可能であればどのような形態や形状でも良い。
【００３５】
図３Ｂに示すように、マガジン１０１の外側にマガジン１０１に関する情報を格納するＲＦＩＤ（Ｒａｄｉｏ  Ｆｒｅｑｕｅｎｃｙｔ  ＩＤｅｎｔｉｆｉｅｒ）タグ１１０が埋め込まれている。さらにマガジン１０１の外側に、ＲＦＩＤタグ１１０と同様に、マガジン１０１に関する情報を格納するバーコード１１１が貼り付けられている。
【００３６】
図４は、本実施の形態におけるＲＦＩＤタグ１１０に格納されているマガジン‐ディスク紐付け情報の一例を説明する図である。図４に示すようにＲＦＩＤタグ１１０に格納されているマガジン‐ディスク紐付け情報には、マガジン１０１を特定するマガジン情報３００と、特定されたマガジン１０１に格納されている複数の光ディスク１を特定するディスク情報３０１と、ユーザ情報３０２がある。
【００３７】
マガジン情報３００は、マガジン１０１の製造時に確定される情報である。マガジン情報３００は、マガジン１０１に固有の情報であるマガジン固有ＩＤ情報や、マガジン１０１の製造年月日、製造場所、格納されている光ディスク１のディスク枚数といったマガジン１０１の関連情報などが含まれる。図４においてマガジン情報３００は、マガジン固有ＩＤ情報に、“０１２３４５６７８９”、製造年月日に、“２０１４年１２月２日”、製造場所に、“Ａ工場／ライン５”、ディスク枚数に、“１２枚”が格納されている。マガジン情報３００は、マガジン製造時に確定されると、書き換えられない情報である。
【００３８】
なお、これらはマガジン情報３００の一例であり、マガジン１０１を一意に識別できる情報であれば、どのような情報であっても良い。
【００３９】
ディスク情報３０１は、マガジン１０１に格納されている１２枚の光ディスク１に関する情報が格納される。具体的には、マガジン１０１に格納されている１２枚の光ディスク１のそれぞれのＢＣＡ１０に格納されるシリアル番号であるディスク固有ＩＤ情報と、１２枚の光ディスク１のマガジン１０１内における位置情報とが格納される。
【００４０】
図４においてディスク情報３０１には、マガジン１０１の一番上の１枚目に、ディスク固有ＩＤ情報“００１１００００００１”の光ディスク１、２枚目に、ディスク固有ＩＤ情報“００１１００００００５”の光ディスク１、３枚目に、ディスク固有ＩＤ情報“００１１０００００１３”の光ディスク１、４枚目に、ディスク固有ＩＤ情報“００１１０００００２４”の光ディスク１、５枚目に、ディスク固有ＩＤ情報“００１１０００００５０”の光ディスク１、６枚目に、ディスク固有ＩＤ情報“００１１０００００３２”の光ディスク１、７枚目に、ディスク固有ＩＤ情報“００１１００００１０２”の光ディスク１、８枚目に、ディスク固有ＩＤ情報“００１１０００００６４”の光ディスク１、９枚目に、ディスク固有ＩＤ情報“００１１０００００８７”の光ディスク１、１０枚目に、ディスク固有ＩＤ情報“００１１０００００２２”の光ディスク１、１１枚目に、ディスク固有ＩＤ情報“００１１０００００４９”の光ディスク１、１２枚目に、ディスク固有ＩＤ情報“００１１０００００７１”の光ディスク１が格納されている。
【００４１】
ディスク情報３０１は、マガジン製造時に、マガジン１０１に対して１２枚の光ディスク１が特定されて確定されると、書き換えられない情報である。
【００４２】
ユーザ情報３０２は、マガジン１０１を使用するユーザが自由に記録できる。ユーザ情報３０２はマガジン１０１の製造時には不定、もしくは所定の情報が記録されており、マガジン１０１の使用中に必要に応じて任意の情報が記録される。例えば図４においてユーザ情報３０２には、“マガジン名”として“マガジンＡＢＣ”という情報が格納される。
【００４３】
なお、ここで示した例はあくまで一例であり、ユーザが、任意の情報を設定できる。
【００４４】
以上のように、ＲＦＩＤタグ１１０のマガジン‐ディスク紐付け情報は、マガジン情報３００とディスク情報３０１とユーザ情報３０２を含み、マガジン１０１を特定する情報と特定されたマガジン１０１に格納される１２枚の光ディスク１を特定する情報を紐付けて記録され、後述する光ディスクライブラリ装置で管理される。
【００４５】
マガジン１０１を特定する情報と特定されたマガジン１０１に格納される１２枚の光ディスク１を特定する情報を紐付けて記録することで、異常が発生した場合でも復旧できるようになる。例えば、後述の光ディスクライブラリ装置において、任意のマガジン１０１から任意の光ディスク１を取り出して使用している最中に、異常が発生した場合や、任意のマガジン１０１に格納されている１２枚の光ディスク１が誤ってバラバラになった場合などに、マガジン１０１の外に出ている光ディスク１の、格納されていたマガジン１０１を特定し、特定したマガジン１０１内の元の位置を特定して復旧できる。
【００４６】
このようにマガジン１０１と光ディスク１とを紐付けて管理することで、マガジン１０１に対して光ディスク１を特定できる。
【００４７】
なお、マガジン‐ディスク紐付け情報は、少なくとも、マガジン情報３００のマガジン固有ＩＤ情報とディスク情報３０１のディスク固有ＩＤ情報と位置情報を含んでいればよい。
【００４８】
さらに、ＲＦＩＤタグ１１０に格納されるマガジン‐ディスク紐付け情報は、バーコード１１１にも格納される。
【００４９】
なお、バーコード１１１は、縞模様の一次元のバーコードであってもよいし、ＱＲコード（登録商標）のような二次元バーコードであってもよい。
【００５０】
なお、本実施の形態では、ＲＦＩＤタグ１１０とバーコード１１１を両方備えているとして説明するが、いずれか一方を備えていればよい。
【００５１】
なお、ディスク固有ＩＤ情報は、マガジン１０１に格納されている１２枚の光ディスク１のそれぞれのＢＣＡ１０に格納されるシリアル番号を格納するものとして説明を行ったが、光ディスク１を一意に特定できる情報であれば何でも良い。例えば、光ディスク１に対して固有な情報が格納されたＲＦＩＤタグが付与されており、そこに格納されている固有情報をディスク固有ＩＤ情報としても良い。
【００５２】
さらに、マガジン１０１の製造時において、マガジン１０１に格納する前にマガジン１０１内に格納する光ディスク１にプリフォーマットして、光ディスク１の所定の領域に光ディスク１に固有な情報を含んだ形で記録しておき、これをディスク情報３０１のディスク固有ＩＤ情報としてＲＦＩＤタグ１１０のマガジン‐ディスク紐付け情報に記録しても良い。光ディスク１に固有な情報としては、例えば、マガジン１０１のＲＦＩＤタグ１１０に格納されたマガジン固有ＩＤ情報と、マガジン１０１内の光ディスク１の位置情報を組み合わせることで生成しても良い。例えば、１枚目の光ディスク１の固有ＩＤ情報は、マガジン固有ＩＤ情報の“０１２３４５６７８９”と位置情報“０１”とを組み合わせて“０１２３４５６７８９０１”、１２枚目の光ディスク１の固有ＩＤ情報は、マガジン固有ＩＤ情報の“０１２３４５６７８９”と位置情報“１２”とを組み合わせて“０１２３４５６７８９１２”としてもよい。
【００５３】
ＲＦＩＤタグ１１０に記録されたマガジン‐ディスク紐付け情報は、半永久的な読み出しが保証されておらず、最終書き込みからの経過時間で劣化が進み、所定時間経過後、正しいデータが読み出せなくなる恐れがある。そのため、光ディスク１の所定の領域に、マガジン固有ＩＤ情報や、光ディスク１のマガジン１０１内の位置情報をディスク固有ＩＤ情報として記録しておくことで、５０年単位で半永久的にマガジン１０１と光ディスク１の紐付け情報を保持することが出来る。さらに、光ディスク１から、光ディスク１に紐付けられたマガジン１０１のＲＦＩＤタグ１１０に格納されていたマガジン‐ディスク紐付け情報を復元し、再度、ＲＦＩＤタグ１１０に記録しなおすことで、ＲＦＩＤタグ１１０のデータを復旧することできるメリットも得られる。
【００５４】
[１−３．光ディスクライブラリシステムの構成]
図５は、本実施の形態における光ディスクライブラリシステムの構成図である。図５において、光ディスクライブラリシステム５００は、光ディスクライブラリ装置２００と、光ディスクライブラリ装置２００を制御するホストサーバ２３０で構成される。光ディスクライブラリ装置２００は、ホストＩ／Ｆである第一ホストＩ／Ｆ２４０と第二ホストＩ／Ｆ２５０を介して、ホストサーバ２３０と接続する。
【００５５】
光ディスクライブラリ装置２００は、チェンジャ機構２２０と１２台の光ディスクドライブ２１０を含む。更に光ディスクライブラリ装置２００には、複数のマガジン１０１が装着可能である。マガジン１０１は、引き出しや、メールボックスなどを介して光ディスクライブラリ装置２００から着脱可能に構成される。
【００５６】
第一ホストＩ／Ｆ２４０は、光ディスクライブラリ装置２００のチェンジャ機構２２０と通信・制御を行うためのＩ／Ｆであり、例えばｉＳＣＳＩ（Ｉｎｔｅｒｎｅｔ  Ｓｍａｌｌ  Ｃｏｍｐｕｔｅｒ  Ｓｙｓｔｅｍ  Ｉｎｔｅｒｆａｃｅ）やＵＳＢ（Ｕｎｉｖｅｒｓａｌ  Ｓｅｒｉａｌ  Ｂｕｓ）などが用いられる。
【００５７】
第二ホストＩ／Ｆ２５０は、光ディスクライブラリ装置２００の１２台の光ディスクドライブ２１０との通信・制御を行うためのＩ／Ｆであり、例えばＳＡＳ（Ｓｅｒｉａｌ  Ａｔｔａｃｈｅｄ  ＳＣＳＩ）やｉＳＣＳＩ、ＦＣ（Ｆｉｂｅｒ  Ｃｈａｎｎｅｌ）、或いはＳＡＴＡ（Ｓｅｒｉａｌ  ＡＴＡ）などのパラレル通信方式が用いられる。ホストサーバ２３０からは、第二ホストＩ／Ｆ２５０を介して、１２台の光ディスクドライブ２１０が１台ずつ制御可能に接続される。
【００５８】
なお、光ディスクライブラリ装置２００にＳＡＳ−ＳＡＴＡ変換基板などを備え、ホストサーバ２３０と光ディスクライブラリ装置２００とはＳＡＳ接続し、光ディスクライブラリ装置２００内では１２台の光ディスクドライブ２１０それぞれとＳＡＴＡ接続するといった形態でも良い。
【００５９】
光ディスクライブラリ装置２００のチェンジャ機構２２０は、マガジンキャリアメカ２２１とディスクキャリアメカ２２２の２つのメカと、これらの２つのメカを制御するためのマイクロコンピュータなどで構成される制御部２２３で構成されている。
【００６０】
マガジンキャリアメカ２２１は、ホストサーバ２３０の指示に基づいて、複数のマガジン１０１の中から１つのマガジン１０１を選択し、光ディスクドライブ２１０へ運搬する。マガジンキャリアメカ２２１は、マガジン１０１のＲＦＩＤタグ１１０やバーコード１１１の情報を読み取るために図示しないＲＦＩＤリーダやバーコードリーダを備えている。
【００６１】
ディスクキャリアメカ２２２は、ホストサーバ２３０の指示に基づいて、マガジンキャリアメカ２２１が運搬してきたマガジン１０１に格納されている１２枚の光ディスク１を掴み、その中の所定の１枚の光ディスク１を、所定の光ディスクドライブ２１０に取り付ける。さらに、ディスクキャリアメカ２２２は、ホストサーバ２３０の指示に基づいて、所定の光ディスクドライブ２１０から所定の光ディスク１を取り外し、元のマガジン１０１に戻す。
【００６２】
光ディスクライブラリ装置２００において、マガジンキャリアメカ２２１とディスクキャリアメカ２２２を動作させるためには、１２台の光ディスクドライブ２１０が配置されている物理的な位置情報と、複数のマガジン１０１が配置されている物理的な位置情報が必要である。１２台の光ディスクドライブ２１０と、複数のマガジン１０１は、物理的な位置は予め決まっている。
【００６３】
複数のマガジン１０１は、光ディスクライブラリ装置２００の内部にマガジン１０１装着用の棚（ｓｔａｃｋ）が用意されており、そこに取り付けられる。光ディスクライブラリ装置２００の初期化処理やセットアップなどのタイミングで、複数のマガジン１０１の物理的な位置が確定する。
【００６４】
制御部２２３は、マガジン１０１が取り付けられている棚に対して、マガジンキャリアメカ２２１を用いてＲＦＩＤタグ１１０やバーコード１１１の読み取りを実施し、どの棚の位置にどのマガジン固有ＩＤ情報を持ったマガジン１０１が取り付けられているかを確定し、マガジン１０１の物理的な位置とマガジン１０１のマガジン固有ＩＤ情報を対応付けるマガジン対応情報を生成する。
【００６５】
１２台の光ディスクドライブ２１０は、光ディスクドライブ２１０の物理的な結線による信号情報から光ディスクドライブ２１０の物理的な位置を特定する。
【００６６】
光ディスクドライブ２１０を特定する情報としては、光ディスクドライブ２１０の製造時に固有で割り振られるシリアル番号であるドライブ固有ＩＤ情報がある。
【００６７】
制御部２２３は、光ディスクドライブ２１０の物理的な位置とドライブ固有ＩＤ情報を対応づける光ディスクドライブ対応情報を生成する。
【００６８】
マガジン対応情報と光ディスクドライブ対応情報は、光ディスクライブラリ装置２００、あるいはホストサーバ２３０で管理され、これらの情報を用いて制御部２２３は、マガジンキャリアメカ２２１を動作させ、ディスクキャリアメカ２２２を動作させる。
【００６９】
本実施の形態の光ディスクライブラリ装置２００は、異常停止や故障などの場合に、光ディスクライブラリ装置２００を復旧するための情報をホストサーバ２３０に通知する機能を備える。
【００７０】
具体的には、光ディスクライブラリ装置２００は、ＲＦＩＤタグ１１０およびバーコード１１１に格納されているマガジン‐ディスク紐付け情報を、第一ホストＩ／Ｆ２４０を介してホストサーバ２３０に通知する機能を備える。
【００７１】
更に、光ディスクライブラリ装置２００は、異常停止や故障から復旧するために、チェンジャ機構２２０を特定するチェンジャ機構２２０の製造時に固有で割り振られるシリアル番号であるチェンジャ固有ＩＤ情報をホストサーバ２３０へ通知する機能と、チェンジャ機構２２０の状態情報、具体的には、マガジンキャリアメカ２２１がマガジン１０１を掴んでいる状態か掴んでいない状態かを示す状態と、マガジンキャリアメカ２２１がマガジン１０１を掴んでいる状態の場合に掴んでいるマガジン１０１のマガジン固有ＩＤ情報をホストサーバ２３０へ通知する機能を備える。
【００７２】
また、光ディスクライブラリ装置２００は、異常停止や故障から復旧するために、光ディスクライブラリ装置２００に備えられている１２台の光ディスクドライブ２１０のドライブ固有ＩＤ情報をホストサーバ２３０へ通知する機能と、光ディスクドライブ２１０の状態情報、具体的には、光ディスクドライブ２１０に光ディスク１が装着されているか否かを示す状態と、光ディスクドライブ２１０が光ディスク１を装着している状態の場合に装着されている光ディスク１のディスク固有ＩＤ情報をホストサーバ２３０へ通知する機能を備える。
【００７３】
さらに、ＲＦＩＤタグ１１０の情報を読み出せなくなったり、バーコード１１１が破損して読み出せなくなると、光ディスクライブラリ装置２００は、ホストサーバ２３０にマガジン‐ディスク紐付け情報を通知できない。これを回避するため、光ディスクライブラリ装置２００に不揮発メモリのようなメモリを備え、メモリにもＲＦＩＤタグ１１０やバーコード１１１と同じ情報を記憶しておいてもよい。
【００７４】
さらに、光ディスクライブラリ装置２００にメモリを備えていたとしても、メモリを含む部品の交換修理などを行ってしまうと、メモリに記憶しておいたマガジン‐ディスク紐付け情報が消失する場合もある。
【００７５】
また、マガジン１０１のコストの観点から、ＲＦＩＤタグ１１０やバーコード１１１にマガジン‐ディスク紐付け情報を格納するだけの容量が無い場合もある。
【００７６】
さらに、マガジン１０１の製造時にマガジン１０１に格納される全ての光ディスク１の情報を含んでＲＦＩＤタグ１１０にマガジン‐ディスク紐付け情報を記録すると、マガジン１０１の製造時のタクトが増加し、製造コストの増加に繋がり、ＲＦＩＤタグ１１０にディスク情報３０１を格納できない場合もある。
【００７７】
また、光ディスクライブラリ装置２００の制御部２２３が低性能で、全てのマガジン１０１に関する情報を管理出来ないような場合もある。
【００７８】
これらの状況にも対応できるように、光ディスクライブラリ装置２００はホストサーバ２３０に対して、マガジン‐ディスク紐付け情報として必要になる情報を通知する機能を備える。例えば、ＡＰＩ（ａｐｐｌｉｃａｔｉｏｎ  Ｐｒｏｇｒａｍｍｉｎｇ  Ｉｎｔｅｒｆａｃｅ）でこれらのマガジン‐ディスク紐付け情報をホストサーバ２３０が取得する仕組みを提供する。これにより、マガジン‐ディスク紐付け情報をより確実に、より冗長性を持って扱うことが出来る。
【００７９】
図６は、本実施の形態における光ディスクライブラリシステムの情報管理イメージを説明する図である。図６に示すように、光ディスクライブラリ装置２００は、不揮発性のメモリ２７０を備え、メモリ２７０にも、ＲＦＩＤタグ１１０やバーコード１１１と同じマガジンーディスク紐付け情報を記憶する。メモリ２７０は、光ディスクライブラリ装置２００の電源が落ちたとしても、不揮発性であるため、この情報は格納され続ける。
【００８０】
光ディスクライブラリ装置２００からホストサーバ２３０へ第一ホストＩ／Ｆ２４０を介してマガジン‐ディスク紐付け情報、チェンジャ固有ＩＤ情報、ドライブ固有ＩＤ情報を通知する機能を備えているので、ホストサーバ２３０はこれらの情報を管理できる。また、ホストサーバ２３０は、ＳＳＤ（Ｓｏｌｉｄ  Ｓｔａｔｅ  Ｄｒｉｖｅ）やＨＤＤのような外部メモリを接続してバックアップし、さらに冗長性を保つことができる。
【００８１】
ここで、メモリ２７０は不揮発性であるとして説明を行ったが、揮発性メモリであっても同様の効果を得ることができる。例えば光ディスクライブラリ装置２００は、ディスク固有ＩＤ情報に相当するマガジンに装着された光ディスク１のシリアル番号であるＢＣＡ情報や、装着されているマガジンのマガジン固有ＩＤ情報などを、任意のタイミングで取得して揮発性メモリに備えておき、ＡＰＩで要求を受けた場合にそれらの情報を通知してもよい。
【００８２】
更には、マガジン製造メーカが、マガジン製造時のマガジン‐ディスク紐付け情報を管理してもよい。この場合、ホストサーバ２３０は、インターネットなどを介してマガジン製造メーカのサーバにアクセスし、マガジン製造時のマガジン‐ディスク紐付け情報を取得する。
【００８３】
このような構成をとることで、例えばＲＦＩＤタグ１１０が読み出せなくなった場合や、バーコード１１１が破損してしまったような場合などでも、ホストサーバ２３０でマガジン‐ディスク紐付け情報を保持しているので、ＲＦＩＤタグ１１０にマガジン‐ディスク紐付け情報を再度書き直したり、新たなバーコード１１１を貼り付けたりすることで、マガジン‐ディスク紐付け情報を復元できる。
【００８４】
更に、ＲＦＩＤタグ１１０のマガジン‐ディスク紐付け情報が読み出せなくなったマガジン１０１に格納されていた光ディスク１が、任意の光ディスクドライブ２１０に装填された状態で光ディスクライブラリ装置２００が異常停止してしまったような場合であっても、ホストサーバ２３０は、光ディスクドライブ２１０の状態情報を取得し、装填された光ディスク１のディスク固有ＩＤ情報を取得し、ホストサーバ２３０が保持するマガジン‐ディスク紐付け情報、もしくはマガジン製造メーカのデータベースに保持されるマガジン‐ディスク紐付け情報と照合すれば、装填された光ディスク１の戻るべきマガジン１０１を見つけて復旧することができる。
【００８５】
また、ＲＦＩＤタグ１１０やバーコード１１１に、マガジン‐ディスク紐付け情報ではなく、マガジン固有ＩＤ情報のみが記録されている場合であっても、このマガジン固有ＩＤ情報に基づいてホストサーバ２３０またはマガジン製造メーカのサーバに格納されているマガジン‐ディスク紐付け情報に照合することで、光ディスク１を特定することが出来る。
【００８６】
なお、本実施の形態の光ディスクライブラリシステム５００において、ホストＩ／Ｆとして、第一ホストＩ／Ｆ２４０と、第二ホストＩ／Ｆ２５０を介してホストサーバ２３０と光ディスクライブラリ装置２００が接続される構成で説明したが、接続の形態はこの限りではない。例えば、光ディスクライブラリ装置２００にチェンジャ機構２２０と光ディスクドライブ２１０の両方を制御可能なＣＰＵボードを備えれば、ホストサーバ２３０と光ディスクライブラリ装置２００は１つのホストＩ／Ｆで接続して制御するような接続の形態でも良い。
【００８７】
ここで、一般的にチェンジャシステムやライブラリシステムは、各動作や情報取得をエレメントアドレスの単位で実施されることが多い。エレメントとは、メディア移送部やデータ転送部やストレージなどを指す。例えば、光ディスクライブラリ装置２００では、メディア移送部としてチェンジャ機構２２０や、データ転送部として１台の光ディスクドライブ２１０が１つのエレメントである。ストレージについては注意が必要である。例えば、先行技術文献で開示されている装置では、マガジンに備えられた複数の光ディスクをまとめて扱うことが前提であったため、ストレージとしてマガジンが１つのエレメントであり、マガジン単位でエレメントアドレスが付与されていた。本実施の形態においては、ストレージとして、マガジン１０１内に格納されている１枚の光ディスク１が、１つエレメントであり、光ディスク１枚単位でエレメントアドレスが付与される。より具体的には、アクセス可能な単位ということで、マガジン１０１内の１２枚の光ディスク１の物理的な位置それぞれに対してエレメントアドレスが付与される。つまり、１つのマガジン１０１に１２枚の光ディスク１が格納されている場合、１つのマガジン１０１に対して、１２個のエレメントアドレスが付与され、複数のマガジン１０１が光ディスクライブラリ装置２００に存在する場合は、全てのマガジン１０１の全ての光ディスク１にエレメントアドレスが付与される。
【００８８】
エレメントアドレスは、使用中に変更されるとホスト側の制御が破綻する。そのため、光ディスクライブラリ装置２００に存在する光ディスク１は、常に同じエレメントアドレスが付与される必要がある。例えば、図４で示したような、ＲＦＩＤタグ１１０などに備えられるマガジン情報３００に含まれるマガジン固有ＩＤ情報や、ディスク情報３０１に含まれる位置情報、或いはディスク固有ＩＤ情報を用いて、１枚の光ディスク１に同じエレメントアドレスが付与されるように制御する。例えば、マガジン固有ＩＤ情報が“０１２３４５６７８９”のマガジン１０１に対して、エレメントアドレス「０番」から「１１番」が割り振られ、別のマガジン１０１に対して、エレメントアドレス「１２番」から「２３番」が割り振られる。また、マガジン固有ＩＤ情報が“０１２３４５６７８９”のマガジン１０１に含まれる１２枚の光ディスク１のうち、位置情報が１枚目の光ディスク１にエレメントアドレス「０番」を、２枚目の光ディスク１に「１番」を、・・・、１２枚目の光ディスク１に「１１」番を割り当てる、といようにエレメントアドレスが付与される。
【００８９】
本実施の形態では、異常停止などが発生した場合も含めて、常にマガジン１０１と、その中に格納された光ディスク１の組み合わせ、およびマガジン１０１における光ディスク１の位置を元に戻すことができることを説明した。言い換えれば、光ディスクライブラリ装置２００を使用している間に異常状態に陥った場合も含めて、光ディスク１に対して決まったエレメントアドレスを付与することが可能になる。
【００９０】
なお、チェンジャ機構２２０はマガジンキャリアメカ２２１とディスクキャリアメカ２２２の２つのメカを備える構成で説明したが、これに限らない。例えば、マガジン１０１がダイレクトスタック方式で格納されているのではなく、トレイが設けられ、１枚ずつ光ディスク１を抜き出し可能な場合は、マガジンキャリアメカ２２１が不要であり、ディスクキャリアメカ２２２のみの構成でよい。
【００９１】
なお、第二ホストＩ／Ｆ２５０は、パラレル通信方式の接続だけでなく、シリアル通信方式の接続でもよい。さらに、チェンジャ機構２２０と光ディスクドライブ２１０の接続がシリアル通信方式で接続されても良い。光ディスクドライブ２１０がトレイ型ドライブの場合、トレイ制御を行う時に第二ホストＩ／Ｆ２５０とは別に制御することができる。
【００９２】
[２．復旧処理]
次に、光ディスクライブラリ装置２００の異常停止時の復旧処理について説明する。光ディスク１が、光ディスクドライブ２１０に装着されたまま異常停止した場合の復旧処理について説明する。
【００９３】
[２−１．ＲＦＩＤタグのマガジン‐ディスク紐付け情報を用いる場合]
図７は、本実施の形態における、復旧処理のフローチャートである。ここでは、ＲＦＩＤタグ１１０に格納されているマガジン‐ディスク紐付け情報を用いる場合について説明する。ホストサーバ２３０は、光ディスクライブラリ装置２００の１２台の光ディスクドライブ２１０それぞれに対して、以下のステップを実施する。
【００９４】
（ステップＳ７０１）ホストサーバ２３０は、第二ホストＩ／Ｆ２５０を介して光ディスクドライブ２１０に対して光ディスク１の起動要求を出す。光ディスクドライブ２１０は、ホストサーバ２３０からの起動要求を受けて光ディスク１を起動する。光ディスクドライブ２１０に光ディスク１が装着されていれば起動し、光ディスクドライブ２１０に光ディスク１が装着されていなければ起動しない。光ディスクドライブ２１０は、第二ホストＩ／Ｆ２５０を介してホストサーバ２３０へ起動要求に対する結果を返す。光ディスクドライブ２１０が起動した場合、結果として「成功（Ｇｏｏｄ）」を返し、光ディスクドライブ２１０が起動しなかった場合、結果として「ディスク無し（ＮｏＤｉｓｃ）」を返す。ホストサーバ２３０は、起動要求の結果により、光ディスクドライブ２１０に光ディスク１が装着されているか否かの判断ができる。光ディスクドライブ２１０に光ディスク１が装着されている場合（Ｙｅｓの場合）は、ステップＳ７０２へ進み、光ディスクドライブ２１０に光ディスク１が装着されていない場合（Ｎｏの場合）は、処理を終了する。
【００９５】
（ステップＳ７０２）ホストサーバ２３０は、第二ホストＩ／Ｆ２５０を介して光ディスクドライブ２１０へ装着されている光ディスク１のディスク固有ＩＤ情報の取得要求を出す。光ディスクドライブ２１０は、光ディスク１のＢＣＡ１０中に格納されているシリアル番号を読み出し、ディスク固有ＩＤ番号を第二ホストＩ／Ｆ２５０を介してホストサーバ２３０へ返す。
【００９６】
（ステップＳ７０３）ホストサーバ２３０は、第一ホストＩ／Ｆ２４０を介してチェンジャ機構２２０へマガジン１０１のＲＦＩＤタグ１１０のマガジン‐ディスク紐付け情報の取得要求を出す。チェンジャ機構２２０は、任意のマガジン１０１のＲＦＩＤタグ１１０のマガジン‐ディスク紐付け情報を読み出し、第一ホストＩ／Ｆ２４０を介してホストサーバ２３０へ通知する。
【００９７】
ここで、このＲＦＩＤ情報中には、少なくともマガジン固有ＩＤ情報や、格納されている光ディスク１のディスク固有ＩＤ情報や、対応する光ディスク１の位置情報が含まれている。上述したように、光ディスクライブラリ装置２００は、エレメントアドレス単位で情報取得の指示が行われる。しかし、マガジン１０１に対してエレメントアドレスは付与されない。そのためステップ７０３でマガジン１０１のＲＦＩＤ情報を取得する場合は、１つのマガジンに１２個のエレメントが存在するため、例えば、エレメントアドレス「０番」のエレメントが格納されたマガジン１０１のＲＦＩＤ情報、エレメントアドレス「１２番」のエレメントが格納されたマガジン１０１のＲＦＩＤ情報、というように情報取得することで実現する。
【００９８】
（ステップＳ７０４）ホストサーバ２３０は、取得したマガジン‐ディスク紐付け情報の中に光ディスクドライブ２１０に装着されている光ディスク１のディスク固有ＩＤ情報に合致するディスク固有ＩＤ情報があるか否かを確認する。合致するディスク固有ＩＤ情報がある場合（Ｙｅｓの場合）は、ステップＳ７０５へ進み、合致するディスク固有ＩＤ情報がない場合（Ｎｏの場合）は、ステップＳ７０３へ戻る。
【００９９】
（ステップＳ７０５）ホストサーバ２３０は、第一ホストＩ／Ｆ２４０を介して、チェンジャ機構２２０に、取得したマガジン‐ディスク紐付け情報からマガジン固有ＩＤ情報と光ディスク１のディスク固有ＩＤ情報と位置情報とマガジン対応情報を用いて、光ディスク１を元のマガジン１０１に戻す指示を出す。チェンジャ機構２２０は、光ディスク１を元のマガジン１０１に戻す。
【０１００】
ホストサーバ２３０は、復旧処理の最中にマガジン１０１のＲＦＩＤタグ１１０のマガジン‐ディスク紐付け情報を取得するものとして説明を行った。しかし、マガジン‐ディスク紐付け情報の取得のタイミングはこれに限らない。光ディスクライブラリ装置２００の電源投入時など、復旧処理の前に取得しても良い。
【０１０１】
ホストサーバ２３０は、光ディスクドライブ２１０ごとに上記の復旧処理を行うものとして説明を行ったが、これに限らない。ホストサーバ２３０は、初めに１２台全ての光ディスクドライブ２１０に対して光ディスク１が装着されているか否かを判定し、装着されている全ての光ディスク１に対してまとめて、ステップＳ７０２〜ステップＳ７０５を実施してもよい。
【０１０２】
[２−２．光ディスクのマガジン‐ディスク紐付け情報を用いる場合]
図８は、本実施の形態における、復旧処理のフローチャートである。ここでは、光ディスク１に格納されているマガジン‐ディスク紐付け情報を用いる場合について説明する。図７で説明したステップと同じ処理は、同じステップ番号を付与し、その説明を省略する。ホストサーバ２３０は、光ディスクライブラリ装置２００の１２台の光ディスクドライブ２１０それぞれに対して、以下のステップを実施する。
【０１０３】
（ステップＳ８０２）ホストサーバ２３０は、第二ホストＩ／Ｆ２５０を介して、光ディスクドライブ２１０に装着されている光ディスク１のディスク固有ＩＤ情報とマガジン‐ディスク紐付け情報を取得する要求を出す。光ディスクドライブ２１０は、光ディスク１のディスク固有ＩＤ情報とマガジン‐ディスク紐付け情報を取得し、第二ホストＩ／Ｆ２５０を介して、光ディスク１のディスク固有ＩＤ情報とマガジン‐ディスク紐付け情報をホストサーバ２３０へ通知する。
【０１０４】
（ステップＳ８０３）ホストサーバ２３０は、第一ホストＩ／Ｆ２４０を介してチェンジャ機構２２０へ任意のマガジン１０１のＲＦＩＤタグ１１０のマガジン‐ディスク紐付け情報の取得要求を出す。チェンジャ機構２２０は、任意のマガジン１０１のＲＦＩＤタグ１１０のマガジン‐ディスク紐付け情報を読み出し、読み出したマガジン‐ディスク紐付け情報から任意のマガジン１０１のマガジン固有ＩＤ情報を第一ホストＩ／Ｆ２４０を介してホストサーバ２３０へ通知する。ホストサーバ２３０は、マガジン固有ＩＤ情報を取得する。
【０１０５】
（ステップＳ８０４）ホストサーバ２３０は、マガジン‐ディスク紐付け情報の中に取得したマガジン固有ＩＤ情報が有るか否かを確認する。マガジン固有ＩＤ情報が有る場合（Ｙｅｓの場合）は、ステップＳ７０５へ進み、マガジン固有ＩＤ情報がない場合（Ｎｏの場合）は、ステップＳ８０３へ戻る。
【０１０６】
ホストサーバ２３０は、復旧処理の最中にマガジン１０１のＲＦＩＤタグ１１０のマガジン‐ディスク紐付け情報からマガジン固有ＩＤ情報を取得するものとして説明を行った。しかし、マガジン固有ＩＤ情報の取得のタイミングはこれに限らない。光ディスクライブラリ装置２００の電源投入時など、復旧処理の前に、取得しても良い。
【０１０７】
なお、ＲＦＩＤタグ１１０にマガジン‐ディスク紐付け情報が格納されているものとして説明したが、これに限らない。ＲＦＩＤタグ１１０にマガジン固有ＩＤ情報のみが格納されていてもよい。
【０１０８】
ホストサーバ２３０は、光ディスクドライブ２１０ごとに上記の復旧処理を行うものとして説明を行ったが、これに限らない。ホストサーバ２３０は、初めに１２台全ての光ディスクドライブ２１０に対して光ディスク１が装着されているか否かを判定し、装着されている全ての光ディスク１に対してまとめて、ステップＳ８０２〜ステップＳ８０４、ステップＳ７０５を実施してもよい。
【０１０９】
[２−３．マガジン製造メーカのサーバのマガジン‐ディスク紐付け情報を用いる場合]
図９は、本実施の形態における、復旧処理のフローチャートである。ここでは、ＲＦＩＤタグ１１０に格納されている情報がマガジン固有ＩＤ情報のみであり、マガジン製造メーカのサーバのマガジン‐ディスク紐付け情報を用いる場合について説明する。図７で説明したステップと同じ処理は、同じステップ番号を付与し、その説明を省略する。ホストサーバ２３０は、光ディスクライブラリ装置２００の１２台の光ディスクドライブ２１０に対して、以下のステップを実施する。
【０１１０】
（ステップＳ９０３）ホストサーバ２３０は、マガジン製造メーカのサーバから、取得したディスク固有ＩＤ情報を含むマガジン‐ディスク紐付け情報を取得する。
【０１１１】
（ステップＳ９０４）ホストサーバ２３０は、第一ホストＩ／Ｆ２４０を介して、チェンジャ機構２２０へ任意のマガジン１０１のマガジン固有ＩＤ情報の取得の要求を出す。チェンジャ機構２２０は、任意のマガジン１０１のＲＦＩＤタグ１１０に記録されたマガジン固有ＩＤ情報を取得し、第一ホストＩ／Ｆ２４０を介して、ホストサーバ２３０へ通知する。
【０１１２】
（ステップＳ９０５）ホストサーバ２３０は、取得したマガジン固有ＩＤ情報がマガジン‐ディスク紐付け情報のディスク固有ＩＤ情報と一致する否かを確認する。合致した場合（Ｙｅｓの場合）は、ステップＳ７０５へ進み、合致しない場合（Ｎｏの場合）は、ステップＳ９０４へ戻る。
【０１１３】
ホストサーバ２３０は、復旧処理の最中にマガジン１０１のＲＦＩＤタグ１１０のマガジン固有ＩＤ情報を取得するものとして説明を行った。しかし、マガジン固有ＩＤ情報の取得のタイミングはこれに限らない。光ディスクライブラリ装置２００の電源投入時など、復旧処理の前に、全てのマガジン１０１のＲＦＩＤタグ１１０のマガジン固有ＩＤ情報を取得しても良い。
【０１１４】
ホストサーバ２３０は、光ディスクドライブ２１０ごとに上記の復旧処理を行うものとして説明を行ったが、これに限らない。ホストサーバ２３０は、初めに１２台全ての光ディスクドライブ２１０に対して光ディスク１が装着されているか否かを判定し、装着されている光ディスク１全てに対してまとめて、ステップＳ７０２、ステップＳ９０３〜ステップＳ９０５、ステップＳ７０５を実施してもよい。
【０１１５】
[３．効果等]
以上のように、本実施の形態の光ディスクライブラリ装置によれば、光ディスクライブラリ装置の故障や異常停止などのトラブルが発生した場合において、光ディスク１が格納されていたマガジン１０１とマガジン１０１の中での光ディスク１の配置を特定することができ、元の状態に復旧できる。
【０１１６】
また、光ディスクライブラリ装置２００の故障や異常停止として、チェンジャ機構２２０のディスクキャリアメカ２２２が光ディスク１を掴んだままで停止する場合もある。この場合の復旧処理として、ホストサーバ２３０は、チェンジャ機構２２０の状態情報を取得して、ディスクキャリアメカ２２２が掴んでいる光ディスク１を任意の光ディスクドライブ２１０に装着した後に、上述の復旧処理を行えばよい。
【０１１７】
（実施の形態２）
実施の形態１では、任意のマガジン１０１の１２枚の光ディスク１のマガジン１０１内の配置は、固定である前提で説明した。
【０１１８】
実施の形態２では、任意のマガジン１０１の１２枚の光ディスク１のマガジン１０１内の配置が、固定でない場合について説明する。具体的には、マガジン１０１から取り出した光ディスク１をマガジン１０１に戻す時に、マガジン１０１内の一番下の配置に戻す場合について説明を行う。
【０１１９】
本実施の形態では、マガジン１０１にはＲＦＩＤタグ１１０が備えられ、マガジン‐ディスク紐付け情報を格納しているものとする。本実施の形態において、マガジン‐ディスク紐付け情報は、マガジン１０１の光ディスク１の実際の配置が変更される毎に書き換えられる。
【０１２０】
図１０Ａ、図１０Ｂ及び図１０Ｃは、本実施の形態におけるＲＦＩＤタグ１１０に格納されているマガジン‐ディスク紐付け情報の一例を示す図である。実施の形態１のマガジン‐ディスク紐付け情報と異なる箇所は、マガジン１０１に格納されている複数の光ディスク１を特定するディスク情報１００１である。ディスク情報１００１は、光ディスク１の実際の配置を示す実位置情報を含む。
【０１２１】
図１０Ａは、マガジン１０１出荷時のマガジン‐ディスク紐付け情報であり、位置情報と実位置情報は同じである。
【０１２２】
図１０Ｂは、マガジン１０１から、６枚目の光ディスク１が光ディスクドライブ２１０に装着された後に書き換えられたマガジン‐ディスク紐付け情報である。６枚目の光ディスク１の実位置情報が、マガジン１０１に存在しないことを示す“―”であり、位置情報が７枚目以降、１２枚目の光ディスク１の実位置情報は、１枚繰り上がり、位置情報が７枚目の実位置情報は“０６”、位置情報が８枚目の実位置情報は“０７”である。
【０１２３】
図１０Ｃは、位置情報が６枚目の光ディスク１が再びマガジン１０１の一番下に戻された後に書き換えられたマガジン‐ディスク紐付け情報である。位置情報が６枚目の光ディスク１の実位置情報は“１２”になる。
【０１２４】
以上のように、本実施の形態の光ディスクライブラリ装置によれば、ＲＦＩＤタグ１１０のマガジン‐ディスク紐付け情報のディスク情報１００１に実位置情報を含み、任意のマガジン１０１の１２枚の光ディスク１のマガジン１０１内の配置が固定でない場合に、光ディスクライブラリ装置の故障や異常停止などのトラブルが発生した場合においても、光ディスク１が格納されていたマガジン１０１とマガジン１０１の中での光ディスク１の配置を特定することができ、元の状態に復旧できる。
【０１２５】
なお、本実施の形態では、マガジン１０１に光ディスク１が戻る場合には、一番下に戻されるものとして説明を行ったが、これに限らない。例えば、一番上に戻されても良い。
【０１２６】
（他の実施の形態）
以上のように、本開示の技術の例示として、実施の形態１〜２を説明した。しかしながら、本開示の技術は、これに限定されず、変更、置き換え、付加、省略などを行った実施の形態にも適用できる。また、上記実施の形態１〜２で説明した各構成要素を組み合わせて、新たな実施の形態とすることも可能である。
【０１２７】
そこで、以下、他の実施の形態を例示する。
【０１２８】
実施の形態１および実施の形態２では、マガジン１０１に格納されている光ディスク１は１２枚であるとしたが、これに限らず、複数枚であれば何枚であっても良い。また、光ディスク１は、追記型であるとしたが、これに限らず、書換え型の光ディスクでもよい。
【０１２９】
また、実施の形態１および実施の形態２では、光ディスクライブラリ装置２００の光ディスクドライブ２１０を１２台、マガジン１０１に格納される光ディスク１を１２枚として説明を行ったが、これらは同じ数で無くてもよい。
【０１３０】
実施の形態１および実施の形態２の光ディスクライブラリシステム５００において、光ディスクライブラリ装置２００は１つであるものとして説明を行ったが、これに限らない。複数の光ディスクライブラリ装置２００がホストサーバ２３０に接続されていてもよい。さらに、複数の光ディスクライブラリ装置２００は、それぞれの光ディスクライブラリ装置２００において、マガジンキャリアメカ２２１を含まず、１つのマガジンキャリアメカ２２１を複数の光ディスクライブラリ装置２００で共有する構成であってもよい。
【０１３１】
なお、上述の実施の形態は、本開示における技術を例示するためのものであるから、特許請求の範囲またはその均等の範囲において種々の変更、置き換え、付加、省略などを行うことができる。
【産業上の利用可能性】
【０１３２】
本開示は、可搬型の光ディスクをアーカイブ用途の光ディスクライブラリ装置に適用可能である。また、本開示は、複数のユーザから複数の光ディスクへ同時に記録再生を行うマルチアクセスが望まれる光ディスクライブラリ装置にも適用可能である。
【符号の説明】
【０１３３】
１    光ディスク
２    トラック
３    ブロック
４    内周領域
５    データ領域
６    外周領域
１０    ＢＣＡ
１１    ドライブ領域
１２    管理情報領域
１３    ＩＳＡ
１４    ユーザデータ領域
１５    ＯＳＡ
１０１    マガジン
１１０    ＲＦＩＤタグ
１１１    バーコード
２００    光ディスクライブラリ装置
２１０    光ディスクドライブ
２２０    チェンジャ機構
２２１    マガジンキャリアメカ
２２２    ディスクキャリアメカ
２２３    制御部
２３０    ホストサーバ
２４０    第一ホストＩ／Ｆ
２５０    第二ホストＩ／Ｆ
２７０    メモリ
３００    マガジン情報
３０１，１００１    ディスク情報
３０２    ユーザ情報
５００    光ディスクライブラリシステム
【図１】
2016110686.tif 000003
【図２】
2016110686.tif 000004
【図４】
2016110686.tif 000005
【図５】
2016110686.tif 000006
【図６】
2016110686.tif 000007
【図７】
2016110686.tif 000008
【図８】
2016110686.tif 000009
【図９】
2016110686.tif 000010
【図１０Ａ】
2016110686.tif 000011
【図１０Ｂ】
2016110686.tif 000012
【図１０Ｃ】
2016110686.tif 000013
【図３Ａ】
2016110686.tif 000014
【図３Ｂ】
2016110686.tif 000015